Podtech/llm-jp-corpus-v4-ja_patent huggingface dataset:
(57)【要約】      （修正有）【課題】操作ハンドルの押す力に負けてドリルがスタンドの把持部から押し出されて脱落する、之を防ぐには把持力を強めて押す力に勝つか、又は把持部から押し出そうとする滑りを防ぐかどちらかである、押す力に勝つ把持力には構造上かなりの難点があるので、滑りを防ぐには把持部に障害を設けて抵抗を与えることができる電気ドリルを提供する。【解決手段】そこでスタンド把持部内側に対象位置に設けた小さな突起、と之に噛み合う様にドリルの頸部に装着用の縦溝、と之に連絡して滑らかに横に回転して小突起が食込む様横溝を彫り此の溝に沿って簡単に装着されたドリルは横に回転されて小さな突起は大きな障害となって脱落を防ぐ。【選択図】図１
0003120417.tif 000002
【実用新案登録請求の範囲】
【請求項１】
電気ドリルスタンド台（以下スタンドと略称）に於ける
▲１▼把持部の円筒状の内側の対象位置に設けた２つの小さな突起と、
【請求項２】
此れに噛み合う様に彫りこまれた電気ドリル（以下ドリルと略称）の
▲２▼▲３▼ドリル頚部（ドリルチャック装着部の本体寄りでスタンド把持部の装着部位を仮称する）の溝。
【考案の詳細な説明】
【考案の詳細な説明】
【０００１】ドリルをスタンドに装着してボール盤等として作業を施工する時。
【０００２】対象工作物が堅い材の場合鑿、錐等の切り込み作業等には相当の強い力を要しスタンドの操作ハンドルに可なりの力が係りスタンド把持部にネジで締め付け把持されたドリルはスタンドの操作ハンドルから伝播する押す力に応え切れずに把持部から押し出され脱落する。
【背景技術】これを防止する為にスタンド把持部の締め付けネジを強く締め付ける、或いはドリル頸部にパッキン等の補助材を巻く等々の手段を用いて把持部のネジを強く締め付けると  、結果としてスタンド台の把持基部或いは把持部のネジの締め付け部等に亀裂やネジ山の損傷等の損傷を生じた
【考案が解決しようとする課題】
如何にしてスタンド台の把持基部或いは把持部のネジ締め付け部、ネジ山の毀損等を無くしてドリルを確実且つ強固にそして簡単に把持するか、其の方策は。
【課題を解決するための手段】
ドリルがスタンド把持部からの脱落を防ぐ為にはドリルがスタンド把持部から浮き上がる事の無い様に
▲１▼スタンド把持部の内側の対象位置に小さな突起を設け、ドリルをスタンド台に装着する時にドリルがスタンド把持部の小さな突起に滑らかに滑り込むに様に
▲２▼縦溝をドリル頚部に設け同じく之に連なって
▲３▼ドリルが滑らかに横に回転する様に横溝を彫った。
【考案の効果】
▲１▼▲２▼▲３▼の相互関連作用によりドリルはスタンドに的確に把持され必要以上にネジを強く締め付ける要が無くスタンド把持部等に亀裂、ネジヤマの毀損等は無く確実に強固にそして簡単に装着が出来、勿論ドリルがスタンドからの脱落は把持部の小突起がドリル頸部に彫り込まれた溝に食い込み浮き上がることはなく完全に防止でき且ドリル頸部に小さな溝▲２▼▲３▼を彫り込まれただけの為に従来通りの使用に何の支障も来たさない
【図面の簡単な説明】▲１▼  スタンド把持部の小さな突起
▲２▼  スタンド把持部の小さな突起に適切に接合する様に彫られたドリル頚部の縦溝
▲３▼  ドリルが▲２▼に連なり滑らかに横に回転する様にドリル頸部に彫られた横溝
【図１】
0003120417.tif 000003
【図２】
0003120417.tif 000004
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
電気ドリルスタンド台に於ける把持部の円筒状の内側の対象位置に設けた脱落防止の２つの小さな突起を有するスタンド台。
【請求項２】
スタンド台に設けた脱落防止の小さな突起に噛み合う様に電気ドリルの頸部に彫り込まれたスタンド台への導入溝及びドリルの横への回転を滑らかにする平滑溝を有する電気ドリル。
【手続補正２】
【補正対象書類名】明細書
【補正対象項目名】全文
【補正方法】変更
【補正の内容】
【書類名】明細書    【考案の名称】電気ドリルとドリルスタンド台の電気ドリルの把持装置    【考案の詳細な説明】    【０００１】  ドリルをスタンドに装着してボール盤等として作業を施工する時。    【０００２】  対象工作物が堅い材の場合鑿、錐等の切り込み作業等には相当の強い力を要しスタンドの操作ハンドルに可なりの力が係りスタンド把持部にネジで締め付け把持されたドリルはスタンドの操作ハンドルから伝播する押す力に応え切れずに把持部から押し出され脱落する。    【背景技術】これを防止する為にスタンド把持部の締め付けネジを強く締め付ける、或いはドリル頸部にパッキン等の補助材を巻く等々の手段を用いて把持部のネジを強。  く締め付けると、結果としてスタンド台の把持基部或いは把持部のネジの締め付け部等に亀裂やネジ山の損傷等の損傷を生じた    【考案が解決しようとする課題】如何にしてスタンド台の把持基部或いは把持部のネジ締め付け部、ネジ山の毀損等を無くしてドリルを確実且つ強固にそして簡単に把持するか、其の方策は。    【課題を解決するための手段】  ドリルがスタンド把持部からの脱落を防ぐ為にはドリルがスタンド把持部から浮き上がる事の無い様にする為には▲１▼スタンド把持部の内側の対象位置に小さな突起を設け。▲２▼ドリルをスタンド台に装着する時にドリルがスタンド把持部の小さな突起に滑らかに滑り込むに様に縦に導入溝をドリル頚部に設け。▲３▼之に連なってドリルの横への回転を滑らかにする平滑溝を設けた。    【考案の効果】▲１▼▲２▼▲３▼の相互関連作用によりドリルはスタンドに的確に把持され必要以上にネジを強く締め付ける要が無くスタンド把持部等に亀裂、ネジヤマの毀損等は無く確実に強固にそして簡単に装着が出来、勿論ドリルがスタンドからの脱落は把持部の小突起がドリル頸部に彫り込まれた溝に食い込み浮き上がることはなく完全に防止でき且ドリル頸部に小さな溝▲２▼▲３▼を彫り込まれただけの為に従来通りの使用に何の支障も来たさない    【図面の簡単な説明】    【図１】［ドリル頸部外観図］    【符号の説明】▲２▼  ドリル導入溝▲３▼  ドリル平滑溝    【図２】［スタンド把持部外観図］    【符号の説明】▲１▼  スタンドの脱落防止小突起
(57)【要約】      （修正有）【課題】屋根の上まで登らないで、地上又は部屋の中より樋の異物を取除く事が出来る雨樋反転装置の提供。【解決手段】樋をメカニカル機構により反転させる事にある。部屋の中より窓を開け鎖９で手動で樋１を反転異物を取り除くことを可能にした。又、リモートコントロールにより、電動式でも操作が可能。【選択図】図２
0003120416.tif 000002
【実用新案登録請求の範囲】
【請求項１】
屋根より流れ出る雨水を受け流す樋（１）に溜まる、落葉、火山灰等の異物を取り除く為に樋を反転させる雨樋反転装置
【請求項２】
反転装置（４、５、６、７、８、９、１０、１１、１２）は手動で鎖（９）を引く事によりリンク（６）ギャー（７、５）により樋（１）をシャフト（１１）（樋を中心）に溜まった異物を落下させる雨樋反転装置
又モーター（１７）をリモート、コントローラーにより反転を可能にする雨樋反転装置
【請求項３】
樋関係部品（１〜１８）はステンレス材、ギャーはエンジニア、プラスチックを使用耐久性を重視する雨樋反転装置
【考案の詳細な説明】
【技術分野】
【０００１】この考案は既存の樋は固定式だったものを反転式にした。
人が梯子に登り掃除をする事を無くした
【背景技術】
【０００２】既存の樋は固定式のもので材質もスチール、塩ビ関係のものが多く耐久、安全性に欠ける物が多い
【考案の開示】
【考案が解決しょうとする課題】
【０００３】樋の中に自然に溜る異物を取り除く必要があり、その為に高い所に梯子等を使って登り、樋の中を掃除する必要があり、労力と危険を伴なっておりました。今後住宅は耐久性が望まれそれと共に樋も同様である。
【課題を解決するための手段】
【０００４】部屋の中より窓を開け鎖（９）で手動で樋（１）を反転異物を取り除くことを可能にした。又リモートコントロールにより、電動式でも操作が可能
【考案の効果】
【０００５】図１から図４は樋を手動でシャフト（１１）を中心に反転させるための装置である図面１で示したもの雨水が樋の中を流れと同時に落葉等がマス（１５）縦管（１６）等に詰まるのを防ぐために網（１３）を取付ける
［考案の実施するための最良の形態］
【０００６】図面１で示したもの
【実施例】
【０００７】特に秋落葉樹の多い所及び火山灰の降る所は、樋を頻繁に掃除をする必要があり、怠ると雨水が樋より溢れ、異物が腐敗凝固樋の腐食につながり、樋の意味をなさなくなります
【図面の簡単な説明】
【０００８】
【図１】本考案の樋を手動で反転させるための装置の正面図である
【図２】本考案の樋の手動で反転させるための装置のＡ例である
【図３】樋部、綱部の矢視図である
【図４】樋部、Ｂ矢視である
【図５】樋をモーターによる反転させるための装置の正面図である
【図６】樋をモーターによる反転させるための装置の側面図である
【符号の説明】
【０００９】  １・・・樋
２・・・樋受け
３・・・綱
４・・・フランジ
５・・・小歯車
６・・・リンク
７・・・大歯車
８・・・ブラケット
９・・・鎖
１０・・・ケース
１１・・・シャフト
１２・・・ピン
１３・・・樋サポート
１４・・・縦管サポート
１５・・・マス
１６・・・縦管
１７・・・モーター
１８・・・モーターブラケット
【図１】
0003120416.tif 000003
【図２】
0003120416.tif 000004
【図３】
0003120416.tif 000005
【図４】
0003120416.tif 000006
【図５】
0003120416.tif 000007
【図６】
0003120416.tif 000008
【手続補正書】
【提出日】平成18年1月4日(2006.1.4)
【手続補正１】
【補正対象書類名】実用新案登録請求の範囲
【補正対象項目名】全文
【補正方法】変更
【補正の内容】
【実用新案登録請求の範囲】
【請求項１】
屋根より流れ出る雨水を受け流す樋（１）に溜る、落葉、火山灰、等の異物を取除く為に樋を反転させる雨樋反転装置（４、５、６、７、８、９、１０、１１、１２）は手動で鎖（９）を引く事によりリンク（６）ギャー（７、５）により樋（１）をシャフト（１１）（樋の中心）に溜った異物を反転する事により落下させる。雨樋反転装置
【手続補正２】
【補正対象書類名】明細書
【補正対象項目名】０００４
【補正方法】変更
【補正の内容】
【０００４】部屋の中及び外からも窓を開け鎖（９）を手動で（１）を反転させ異物を簡単に取り除く事を可能にした。
【手続補正３】
【補正対象書類名】明細書
【補正対象項目名】０００８
【補正方法】変更
【補正の内容】
【０００８】
【図１】本考案の樋を手動で反転させるための装置の正面図である
【図２】本考案の樋を手動で反転させるための装置のＡ例である
【図３】樋部、網部のＣ矢視図である
【図４】樋部、Ｂ矢視図である
【手続補正４】
【補正対象書類名】明細書
【補正対象項目名】０００９
【補正方法】変更
【補正の内容】
【０００９】  １・・・樋
２・・・樋受け
３・・・網
４・・・フフンジ
５・・・小歯車
６・・・リンク
７・・・大歯車
８・・・ブラケット
９・・・鎖
１０・・・ケース
１１・・・シャフト
１２・・・ピン
１３・・・樋サポート
１４・・・縦管サポート
１５・・・マス
１６・・・縦管
【手続補正５】
【補正対象書類名】図面
【補正対象項目名】全図
【補正方法】変更
【補正の内容】
【図１】
0003120416.tif 000009
【図２】
0003120416.tif 000010
【図３】
0003120416.tif 000011
【図４】
0003120416.tif 000012
(57)【要約】      （修正有）【課題】高齢者の転倒防止を目的とする大腿筋のトレーニングを在宅で簡便に行える様にする。【解決手段】大腰筋の鍛錬の為に踏み台昇降運動など３つのトレーニングを在宅で簡便に行える様に、ブロックの組み合わせでそれを可能にする様にした。その際、組み合わせたブロックがトレーニング中にばらけないよう、台形の凸凹による連結部を設け、引張力により分離しない構造にした。また、安全の為に角をヤスリで面取りしている。【選択図】図１
0003120420.tif 000002
【実用新案登録請求の範囲】
【請求項１】
３つ１組のブロックに台形の凸凹による連結部を設け、引張力による分離を防いだことにより踏み台昇降運動などを在宅で簡便かつ確実に行えるようにした。これにより、足の筋肉を強くする、つま先の動作力を高める、足を引き上げる大腰筋の機能を高める、バランス感覚を高める、リズミカルな運動による脳の働きを高める、という効果を得られるトレーニング用具。
【考案の詳細な説明】
【技術分野】
【０００１】
本考案は、３つのブロックに台形の凸凹部を設け、連結することのできる大腰筋のトレーニング用具に関するものである。
【背景技術】
【０００２】
高齢者は老化による体力低下により転倒、骨折をおこし、それが要介護の原因になることが多い。
【考案の開示】
【考案が解決しようとする課題】
【０００３】
高齢者の転倒予防には、大腰筋（深層筋の一つで、足を前に振り出したり腿を腹部に引き上げたりする動作の際に使用する筋肉）のトレーニングが効果的であると考え、その為の運動を在宅で簡便に行える様にしようとしたものである。
【課題を解決するための手段】
【０００４】
本考案は、３つのブロックに台形の凸凹部による連結部を設け、引張力により分離しないようにした。それにより、ブロックの組み合わせで３種類のトレーニングが行え、またブロックがばらけないのでトレーニングに専念できる。なお、安全の為に角をヤスリで面取りした。
【考案の効果】
【０００５】
上述の様に、ブロックの組み合わせにより３種類のトレーニングが行え、またトレーニング中にブロックがばらける心配がないので、在宅で簡便に大腰筋を鍛錬することができ、それにより高齢者の転倒防止という目的を果たせられる。
【考案を実施するための最良の形態】
【０００６】
ブロックは床に置いて使用する。足を乗せる事が多いので、３個全体の大きさとしては肩幅に開いた両足が大体納まる程度。３個を連結させる場合は、図１に示す、連結部ＢとＣがあるブロック片ロを中心に、それぞれに合致する連結部Ａのあるブロック片イとＤのあるブロック片ハを連結させる。また、２個を連結させる場合はイとハの連結部ＡとＤを組み合わせた方が、ブロック全体の外周に余計な凸凹が出ないので安全上、望ましい。いずれの場合も、連結したブロックの上面部が連続した平面になるように、連結部を完全に合わせるようにする。
また、１個ずつばらして本来の正面部もしくは背面部を下にして置く場合、安定性の観点から平面の側もしくは凹型の連結側を下にして置く。
【実施例１】
【０００７】
以下、添付図面に従って実施例を説明する。
図２はブロック３個を連結させて１つの台とし、それに乗り降りする立位の踏み台昇降運動である。まず、左右どちらかの足（やり易い方でよい）を台となったブロックに乗せ、次いでもう片方の足も乗せ、ブロックの上に立つ。そしてまた片方の足、もう片方の足の順にブロックから降りる。これを何度も繰り返す。
負荷を強める時にはもう１組重ね、弱める時には台の前方に置いた椅子などにつかまる。
【実施例２】
【０００８】
図３は座位による両足開閉運動である。まず椅子に座り、２個を連結させたブロックを足置き台として足下に置く。
そして足を前方と外側に開閉させる運動を、両足、片足、交互と行う。この際、規則性よりも自分のテンポでまんべんなく行うことを求める。
【実施例３】
【０００９】
図４は障害物のまたぎ越し運動である。
ブロックを１個ずつ、各人の歩幅を目安とした間隔に並べ、それをまたぐように越えながら歩き、それを何往復か繰り返す。
【００１０】
大腰筋のトレーニングの為には、３つの実施例を合計して１５〜２０分程度行い、それを１日２回必要とする。
【産業上の利用可能性】
【００１１】
現在、本考案品をみなみ工房にて販売中。
【図面の簡単な説明】
【００１２】
【図１】本考案のトレーニング用ブロックの各個を示した斜視図である。
【図２】ブロックを使った立位踏み台昇降運動（実施例１）の図である。
【図３】ブロックを使った座位両足開閉運動（実施例２）の図である。
【図４】ブロックを使った障害物またぎ越し運動（実施例３）の図である。
【符号の説明】
【００１３】
イ  凸連結部のみのブロック
ロ  凹凸２つの連結部のあるブロック
ハ  凹連結部のみのブロック
Ａ  イの連結部
Ｂ  ロの凹連結部
Ｃ  ロの凸連結部
Ｄ  ハの連結部
【図１】
0003120420.tif 000003
【図２】
0003120420.tif 000004
【図３】
0003120420.tif 000005
【図４】
0003120420.tif 000006
【手続補正書】
【提出日】平成17年10月31日(2005.10.31)
【手続補正１】
【補正対象書類名】実用新案登録請求の範囲
【補正対象項目名】請求項１
【補正方法】変更
【補正の内容】
【請求項１】
３つ１組のブロックに台形の凸凹による連結部を儲け、引張力による分離を防いだことにより踏み台昇降運動などを在宅で簡便かつ確実に行えるようにしたトレーニング用具。
(57)【要約】      （修正有）【課題】茗荷を焼酎に浸し茗荷酒を作るとき、アルコール濃度が低下し発生するカビや汚れの解消等を可能にする茗荷酒を提供する。【解決手段】複数の棒磁石を並行に固定し、焼酎の水分を磁化水に変化させ、水のねばりをなくし、浸透性をよくして細菌やバクテリヤの繁殖を防ぎ短い期間できれいでおいしく澄んだ茗荷酒。【選択図】図１
0003120725.tif 000002
【実用新案登録請求の範囲】
【請求項１】
大型の器に永久磁石を複数、組み合わせたユニットを入れ焼酎と茗荷を入れ比較的短日数で茗荷酒を作る装置
【考案の詳細な説明】
【技術分野】
【０００１】  本考案は、茗荷酒に関するものであり、茗荷のもつ薬効を焼酎により、ひきだしたものである。
【背景技術】
【０００２】  従来から梅酒で知られるように果実酒は、美味で健康促進効果がある。
茗荷には、薬効があり血行が良くなるため、茗荷を食べると手足のむくみが解消しその他、しも、あかぎれ、痔等に治療効果がある。
しかし薬性は使いかた次第で毒性にもなる。昔の人が茗荷を食べ過ぎると馬鹿になると教えたのは、このためである。脳の血行が良くなり働き過ぎる結果狂いが生しる。更に茗荷を生で食すると先端付近に黒い害虫が発生していることがある。地方によっては先端は切り捨てる教えもある。最近は温室栽培で四季を通じて、販売され害虫の心配もないが、非常に高価で売場にもわずかしか置いていない。そのため茗荷の発芽季節に安く出回る天然物を大量に購入し、焼酎で茗荷酒を作った。しかし茗荷は、果実よりも水分が多く焼酎のアルコール度数が低くなりカビが発生し、黒く濁り汚くて飲用に適さず失敗に終わった。
【考案の開示】
【考案が解決しようとする課題】
【０００３】  そこで磁化水を応用することにした。磁化水は日本では知名度が低い。
ヨーロッパやロシア、中国は日本と違ってミネラル成分を多く含んだ硬水のため水アカがたまりやすく、カルシュウム分も多く磁気処理をして解決している。
日本は火山性の土壌のため酸性で軟水のため、磁気処理はあまり普及していない。水は一個一個の水分子が絶えず不規則に運動し、チェーン状に結合する。
この現象は“ブラウン運動（Ｂｒｏｗｎｉａｎ  ｍｏｖｅｍｅｎｔ）”と言われている。その“ブラウン運動”のせいで、水の粘りが多くなり溶解性と浸透力が低下し、溶解酸素の発生も少なくなる。水の中に磁石を入れると、長いチェーン状につながった、水の分子が分離され、小さくなって細胞に浸透しやすいようになる。細菌が発生しにくくなり、バクテリアも発生せず、害虫も死滅する。
したがってカビも発生しない。浸透性が良いため茗荷の養分が早く解け出す。
日本でも磁気マットレスなどの磁気治療器があり、厚生労働省の薬事法にもとずき認可され「血行をよくし、こりを治す」と効能、効果の表示をしてもよいことになっいる。このことは磁気の効果を国が認めていることになる。
【課題を解決するための手段】
【０００４】  磁化杯と称するコップが販売されている。水をこのコップに入れると約１０分で磁化水となり、健康によいとされている。この方法をヒントにして、磁化茗荷酒を作った。コップの場合は容積が小さいため磁石も小さくてよいが、茗荷酒は容量の大きな容器を使用するため１，０００ガウスの磁力をもった複数の磁石を使用した。磁場が強すぎると人体に悪影響を及ぼす。
複数の棒磁石を並べて固定した磁石ユニットを作り容器内に入れ焼酎の水分を磁化水とさせた。アルコール分３５％の焼酎は残り６５％が水分である。
【考案の効果】
【０００５】  本考案により、細菌とバクテリアが減少し、カビの発生がなくなり一年経過後、澄んだ茗荷酒を作ることに成功した。浸透性がよいため経年効果が早く現れた。
【考案を実施するための最良の形態】
【０００６】  磁石ユニットの磁石支え板は、電磁波に影響を与えないプラスチックを使用する。磁石には、サビ防止のため樹脂スプレーを施す。
ユニットは、容器の底部に設置する。温度による自然対流で内部が攪拌される。
【図面の簡単な説明】
【０００７】
【図１】  容器の本体の切断図である。梅酒用の大口の瓶である。
【図２】  磁石ユニットの正面図である。
【図３】  図２のＡ−Ａ’で切断した面を表している。
【符号の説明】
【０００８】  １    容器の蓋
２    容器入り口
３    容器本体
４    茗荷と焼酎の混合
５    焼酎下澄み
６    磁石ユニット
７    棒磁石（１，０００ガウス）
８    磁石支え板（プラスチック）
【図１】
0003120725.tif 000003
【図２】
0003120725.tif 000004
【図３】
0003120725.tif 000005
(57)【要約】      （修正有）【課題】広告宣伝効果が倍増する携帯ストラップの提供。【解決手段】携帯ストラップ３にメッセージ記入用台紙４を付けて、複数個を透明円筒ケース２にセットして景品とする。景品をもらった顧客はメッセージ記入用台紙４にメッセージを記入して、家族、友人、知人などに複数個の携帯電話用ストラップ３をプレゼントするため、広告宣伝効果が倍増する。なお、透明円筒ケース２の中に外から複数個が容易に見える様に並べるため店頭での顧客の景品取得意欲を促進する。【選択図】図１
0003120724.tif 000002
【実用新案登録請求の範囲】
【請求項１】
透明な円筒形ケースに複数個封入された、メッセージ記入用台紙付きの携帯電話用ストラップ
【考案の詳細な説明】
【技術分野】
【０００１】本考案は景品に使用する携帯ストラップに関する。
【背景技術】
【０００２】従来景品として使用する携帯ストラップはある。
【考案の開示】
【考案が解決しようとする課題】
【０００３】しかし、これでは携帯ストラップを景品として配布する場合、景品を手に入れた顧客のみの  広告宣伝効果しかない。
【課題を解決するための手段】
【０００４】そこで、携帯ストラップにメッセージ記入用台紙を付けて、複数個を透明円筒ケースにセットして景品とする。
【考案の効果】
【０００５】よって、景品をもらった顧客はメッセージ記入用台紙にメッセージを記入して、家族、友人、知人などに複数個の携帯電話用ストラップをプレゼントするため、広告宣伝効果が倍増する。なお、透明円筒ケースの中に外から複数個が容易に見える様に並べるため店頭での顧客の景品取得意欲を促進する。
【考案を実施するための最良の形態】
【０００６】本考案に係る携帯ストラップ３は、図２に示す様にメッセージ記入用台紙４と一緒にセットされる。そして図１に示す様な円筒透明ケース２の中に外から複数個の携帯ストラップ３が見える様に並べてセットする。、最後に透明ケースのふた１により密閉される。
【図面の簡単な説明】
【０００７】
【図１】本考案に係る携帯ストラップを、透明円筒ケースにセットした状態の図である。
【図２】メッセージ記入用台紙の図である。
【符号の説明】
【０００８】１  透明ケースのふた
２  透明ケース
３  携帯ストラップ
４  メッセージ記入用台紙
【図１】
0003120724.tif 000003
【図２】
0003120724.tif 000004
(57)【要約】【課題】  疲労感や足のむくみ等を解消するための健康靴下を提供する。【解決手段】  生体活性化作用のあるゲルマニウムの微粉末を混入したシリコンゴムシートを靴下の底の内側に貼着することによって疲労回復や足のむくみを解消することができる。【選択図】図１
0003120702.tif 000002
【実用新案登録請求の範囲】
【請求項１】
ゲルマニウム微粉末を混入したシリコンゴム又はゴムのシートを靴下の足裏内側に貼着したことを特徴とした健康靴下。
【請求項２】
靴下とはソックス、パンティストッキング、和足袋等を含むすべての靴下を含む請求項１に記載の健康靴下。
【考案の詳細な説明】
【技術分野】
【０００１】  本考案は、ゲルマニウムの持つ生体活性化作用によって健康を維持する健康靴下に関する。
【背景技術】
【０００２】  ゲルマニウムはシリコンと共に半導体物質であって、遠赤外線やマイナスイオンを発生するため、生体活性化作用があり、広く使用されている。また足の裏にはツボ（経穴）が集中していて、第２の心臓と呼ばれている。したがって足の裏に刺激を与える医療・健康器具も多数考案され市販されている。
【特許文献１】  特開２００４−１５００００号公報
【考案の開示】
【考案が解決しようとする課題】
【０００３】  ゲルマニウムは遠赤外線やマイナスイオンを発生する物質で生体活性化作用があることが知られているが、ゲルマニウムは単に放置したり、肌に当てても遠赤外線やマイナスイオンの発生は少なく、熱を加えることによってこの発生量が増大し、その効果を発揮する。
【課題を解決するための手段】
【０００４】  考案者はこのゲルマニウムの特性を利用することについて種々試作研究を続けた結果、本考案を完成したものであって、本考案はゲルマニウムの微粉末を、シリコンゴムやゴム、あるいはプラスチックに混入してシート状にしたもので、このシートを靴下の底に貼着する。【０００５】  このシートは厚さを０．５ｍｍ以下とすることにより特に違和感はなく、しかもシートは体温と歩行による摩擦によって熱を帯びるためシートの中に混在されているゲルマニウムからは遠赤外線やマイナスイオン等の生体活性化物質が放出され、足の裏のツボ（経穴）を刺激して治癒効果を発揮する。
【考案の効果】
【０００６】  上述したように本考案の健康靴下は、足の裏にゲルマニウムを直接当てるためゲルマニウムから発生する遠赤外線やマイナスイオン等の生体活性化作用が足の裏のツボを刺激するため、この考案の靴下を履くことによって身体の活性化が盛んになり健康が保たれ治癒効果が現れる。
【考案を実施するための最良の形態】
【０００７】  添付図面により本考案を実施するための最良の形態を説明すると、図１は本考案の全体構成を示す斜視図であって、図中の符号（１）は靴下を示し、（２）は靴下の底部分、（３）はゲルマニウムの微粉末が混入したシリコンゴムのシートであって、このシート（３）は靴下の底面の内側に貼着されている。
【実施例】
【０００８】  図中の符号（３）で示すシリコンゴムシートは、シリコンゴムの中にゲルマニウムの微粉末を混入したシートであって、シリコンゴムに対してゲルマニウム微粉末は５〜２０重量％が適当であり、シート（３）の厚さは約０．５ｍｍ以下が好ましく、これ以上であると靴下を履いたときの違和感があり、又靴のサイズにも影響する。【０００９】  又靴下（１）は図示のようなストッキングやソックスは勿論のことパンティストッキングや和足袋であっても底部分の内面にシリコンゴムシート（３）を貼着すれば同様の効果が得られる。【００１０】  さらに実施例においてはシリコンゴムのみ説明しているが、同じような素材であるゴムやプラスチックであっても同様にゲルマニウムの微粉末を混入することが可能である。
【産業上の利用可能性】
【００１１】  本考案の健康靴下は底の部分にゲルマニウム微粉末が混入したシート（３）が貼着されていることによって、足裏のツボが刺激され、疲労やむくみが解消され、軽快な体質がつくられることが約束されるため、本考案の健康靴下の利用度は大きい。
【図面の簡単な説明】
【００１２】
【図１】  健康靴下の全体を示す斜視図
【図２】  Ａ−Ａ断面図
【符号の説明】
【００１３】（１）…靴下
（２）…靴下の底
（３）…シリコンゴムシート
【図１】
0003120702.tif 000003
【図２】
0003120702.tif 000004
(57)【要約】【課題】粉粒体を空気等の気体で搬送しているプロセスにおいて、通過する粉粒体の静電容量を正確に測定できる生産性の高い高度な性能を有した静電容量式粉粒体流量計の電極管を提供する。【解決手段】樹脂等の絶縁体で成型加工されたパイプ１の表面の測定電極部位２に相当する部分及び防御電極部位３に相当する部分に高純度の銅を溶射、貼付することで溶射した銅とパイプ１とが空気層のない一体化した構造となり、より正確で高度な測定ができる静電容量式粉粒体流量計の電極管が可能となる。【選択図】図１
0003120701.tif 000002
【実用新案登録請求の範囲】
【請求項１】
静電容量式粉粒体流量計において、樹脂等の絶縁体で成型加工されたパイプ１の表面の測定電極部位２に相当する部分及び防御電極部位３に相当する部分に高純度の銅を溶射、貼付することで貼付された銅とパイプ１とが空気層のない一体化した構造となり、より正確で高度な静電容量の測定ができることを特徴とする電極管。
【考案の詳細な説明】
【技術分野】
【０００１】  本考案は粉粒体を空気等の気体で搬送しているプロセスにおいて、配管に接続して管内を流れている粉粒体の濃度を測定して流量を算出する静電容量式粉粒体流量計の電極管に関するものである。
【背景技術】
【０００２】  静電容量式粉粒体流量計による粉粒体の流量測定の基本原理は対向する２枚の銅等の金属板の間に固有の誘電率を持った物質（粉粒体）が流れることで発生する静電容量を読取り、電流等に変換して粉粒体の流量に換算させる方法が一般的にとられている。【０００３】  実際のプロセス機器としては樹脂等の絶縁体で成型加工されたパイプ１の表面の測定電極部位２に相当する部分及び防御電極部位３に相当する部分に銅板を任意の形状に加工し接着剤で貼付する方法がとられてきた。電極の形状は図２に示す螺旋状のものが銅板の加工、貼付の面から一般的である
【考案の開示】
【考案が解決しようとする課題】
【０００４】  しかし、銅板を任意の形状に加工、貼付する方法では作業者の熟練度あるいは作業環境等の関係で樹脂等の絶縁体で成型加工されたパイプ１と貼付する銅板の間に空気を残留させてしまうことが指摘され、複数の粉粒体流量計を用いて計測する場合、パイプ１と銅板の密着性が阻害されることで個々の精度に誤差を生じる原因とされてきた。【０００５】  また、図１に示す理想の形状とされる平行電極の樹脂等の絶縁体で成型加工されたパイプ１への銅板の貼付については、加工成型が難しくパイプ１との密着性が確保できずこれまでは製作されてこなかった。【０００６】  一方、銅板の接着剤による貼付作業はこれまで人力で施工することしかできないために樹脂等の絶縁体で成型加工されたパイプ１と銅板の密着性が一定でなく、電極管個々の製品に精度面でのバラツキが多々あり同一性能を要求される製品を機械的に大量に生産することが望まれていた。
【課題を解決するための手段】
【０００７】  本考案はこのような従来の問題点を解消し、静電容量式粉粒体流量計としての精度向上、バラツキの縮小を進めることで大量生産の可能性を享受できる電極管を提供することを目的とする。【０００８】  本考案は静電容量式粉体流量計の電極管において、これまで人力で銅板を加工し接着剤で貼付していた電極を防食、工芸美術等に広く使われている溶射に着目し、樹脂等の絶縁体で成型加工されたパイプ１の表面の測定電極部位２に相当する部分及び防御電極部位３に相当する部分の各部位に高純度の銅を溶射、貼付することを特徴とする。
【考案の効果】
【０００９】  電極管の製作に当っては樹脂等の絶縁体で成型加工されたパイプ１の非溶射部分をマスキングし、自動回転装置にパイプ１を固定し回転させるとともに、溶射装置からは溶融した銅を一定速度で電極部位へ吹き付けされていく。【００１０】  本考案の方法で製作された電極は空気の巻込みもなく銅の付着厚みは一定化されていくことで製品ごとの誤差は少なく、製品のバラツキは一定の範囲内に収まり大量生産が可能となった。【００１１】  本考案の溶射した銅と樹脂等の絶縁体で成型加工されたパイプ１とが密着し一体化した構造の電極管を使用した静電容量式粉体流量計はより正確で高度な静電容量の測定が可能となった。
【考案を実施するための最良の形態】
【００１２】  本考案の一実施形態を、貼付図面を参照して説明する。
図１は平行電極管の実施例、図２は螺旋電極管の実施例である。【００１３】  図１において、実施に際しては電極を構成するための銅を溶射する樹脂等の絶縁体で成型加工されたパイプ１の材質はＦＲＰ（成形ガラス繊維強化プラスチック）を採用した。【００１４】  このＦＲＰパイプ１を粉粒体による磨耗を防護する目的で粉粒体が接触する内側に絶縁性セラミックスパイプ４が装着され接着剤でＦＲＰパイプ１と一体化されている。【００１５】  溶射の施工範囲は図中の着色されている測定電極部位２及び防御電極部位３が従来の銅板による電極相当部位であり、ＦＲＰパイプ１の表面に純度の高い銅で溶射貼付されている。【００１６】  電極形状は従来の銅板では貼付、施工が困難であった平行電極の形状を採用している。本考案によると電極の形状は図１に示す平行であれ、図２に示す螺旋であれ、いかなる形状も製作上の問題点とはならない。
【産業上の利用可能性】
【００１７】  本考案は高炉の微粉炭吹込設備、自動車の粉体塗装装置等の粉粒体搬送システムを実施しているあらゆる分野での実施が可能となる。
【図面の簡単な説明】
【００１８】
【図１】本考案の一実施形態を備える平行電極管の外形図である
【図２】螺旋電極管の外形図である
【符号の説明】
【００１９】（１）樹脂等の絶縁体で成型加工されたパイプ
（２）測定電極部位
（３）保護電極部位
（４）セラミックスパイプ
【図１】
0003120701.tif 000003
【図２】
0003120701.tif 000004
(57)【要約】      （修正有）【課題】  従来のグレーチングでは設置面とグレーチングが密着するために、掃除の際などにゴミなどが詰まり、それを取り除くための作業負担が問題となっていた。また、ゴミが流れにくく過剰な洗浄が必要となるために洗浄水が無駄に使用されていた。そこで、ゴミが流れやすく清掃負担が軽減され、節水にも繋がるグレーチングを提供する。【解決手段】  グレーチング本体１横のハネ部２の一部をカットし、さらにグレーチング本体１と側溝４との間に数センチの隙間を設け、ここからゴミが側溝４に流れ落ちるようにした。また、グレーチングが使用時にずれてくることを無くすためにハネ部２の下にズレ防止ストッパー３を設けた。【選択図】図１
0003120708.tif 000002
【実用新案登録請求の範囲】
【請求項１】
設置する側溝の淵部分と接し、グレーチング使用時にその本体を支える役目を果たしているグレーチング横部分のハネと溝に接触する本体の一部において、両端を除いたグレーチング中央部、又は強度と安全を保持するために必要とされない部分を取り除き、設置する溝との間に水やゴミ等がスムーズに通過する通孔を保持するとともに、残されたハネの下部に下向きの突出部を設け、本体の一部を削減したことによって設置時に発生するグレーチング本体のズレを防ぐ機能を有することを特徴としたグレーチング。
【考案の詳細な説明】
【技術分野】
【０００１】  本考案は工場や屋外で使用されているグレーチングに関するのもである。
【技術背景】
【０００２】  従来より、かぶせ式のグレーチングは車や人が側溝に落ちる危険から守るため、また、はめ込み式のように側溝に特殊な加工を施さなくても設置でき、低コストで簡便であるなどの利点から工場や屋外で多用されてきた。また、天板部は雨水等がスムーズに側溝に流れ落ちるように網状に加工されており、その網の形状や間隔等において様々な工夫が施され、高度な技術を有するグレーチングも数多く市販されている。
【考案の開示】
【考案が解決しようとする課題】
【０００３】  これまでのかぶせ式のグレーチングでは本体側面部に出っ張り（ハネ）が設けられており、これによって本体が落下するのを防ぐ役目を果たしていた。しかし、このハネ部分が地面と密着しているため、掃除の際等に水やゴミがグレーチングに挟まり、側溝に流れ落ちにくいという問題があった。これは、特に工場などの床を清掃する際に作業者がゴミを完全に流すために、わざわざ重いグレーチングを持ち上げて挟まった異物を側溝に流すという作業負担を発生させる原因となっている。本考案はこの課題を解決し、作業者の負担を軽減するとともに、掃除の際の水の使用量も削減するためになされたものである。
【課題を解決するための手段】
【０００４】  従来型ではハネ部２がグレーチング本体１の両側面全体に取り付けられていた。本考案ではこのハネ部２を強度と安全を保てる最小限の部分を残してカットした構造を特長とする。さらにグレーチング本体１の横幅を設置しようとする側溝４の横幅より１〜２ｃｍ程度小さくすることで、側溝４との間に隙間を確保させる。また、上記条件を満たすグレーチングは本体１と側溝４との間に隙間を有するため、設置した際に本体の安定性が悪くなり、使用を継続していく際に側溝上でズレてくる可能性がある。これを解決するためにハネ部２の下部にズレ防止用ストッパー３を設置する。
【考案の効果】
【０００５】  ハネ部をカットし、側溝との間に隙間を設けたことにより、この部分から水やゴミ等がスムーズに側溝に流れ落ちる。清掃等にかかる作業者の労力と時間が削減され、結果として洗浄水の削減が期待できる。また、ズレ防止ストッパーによって従来どおりの安定性が保てる。
【図面の簡単な説明】
【０００６】
【図１】  本考案を実施したグレーチングの図である。
【図２】  本考案を側溝にて実施した際の横断面図である。
【図３】  本考案を側溝にて実施した際の正面図である。
【符号の説明】
【０００７】  １  グレーチング本体
２  ハネ部
３  ズレ防止ストッパー
４  側溝
【図１】
0003120708.tif 000003
【図２】
0003120708.tif 000004
【図３】
0003120708.tif 000005
(57)【要約】      （修正有）【課題】街中の生ゴミ袋集積場所における生ゴミ袋の散乱、鳥獣（カラスや猫等）による生ゴミ食い散らかしの防護策など、折りたたみ式生ゴミ袋集積用囲いを提供する。【解決手段】枠１にネット２を張付けたパネルを連結具３及び４で連結して囲いを形成し、その囲いの中に生ゴミ袋を集積し、路上への散乱、鳥獣（カラスや猫等）の食い荒らしを防ぎ、又、構造は分割することなく折りたたみ式とし、囲いを展張・設置した場合、菱形に変形することを防止するストッパー５を備え、簡単で持ち運びが容易な構造として課題を解決する。【選択図】図１
0003120709.tif 000002
【実用新案登録請求の範囲】
【請求項１】
パイプで枠を作り、枠の全面にネットを張ってパネルを形成し、そのパネルを連結具で連結して囲いを組立て、囲いが菱形に変形することを防止するストッパーを設け、分割することなく展張、折りたたみができ、持ち運びが便利な生ゴミ袋の集積用囲いである。
【考案の詳細な説明】
【技術分野】
【０００１】  本考案は、折りたたみ式生ゴミ袋集積用囲いの使用に関する。
【背景技術】
【０００２】  従来、商店、家庭などから出される生ゴミ袋は、決められた場所に一旦集積される。しかし、集積場所の区画が曖昧であるため、往々に区画をはみ出し、又は風によって散乱しているケースが見られる。これらは交通を妨げるほか、街の景観をも損なっている。
そして、生ゴミ回収車が回収するまでの時間に鳥獣（カラスや猫等）によって食い荒らされる被害が発生し、衛生上からも大きな社会問題となっている。
その食い荒らしを防ぐために、生ゴミ袋にネットなどを被せたりしているが、実行性が乏しく効果が少ない。又、固定式の囲いも使用されているが、街中では道路交通法に抵触する恐れもあり普及していない。
【考案の開示】
【考案が解決しようとする課題】
【０００３】  生ゴミ袋が集積場所以外に散乱しないようにすると共に、鳥獣（カラスや猫等）による食い荒らしを防止するため、決められた時間内に生ゴミ袋の囲いを簡単に設置し、かつ使用後は簡単に撤去できる構造にしなければならない。
【課題を解決するための手段】
【０００４】  そこで、生ゴミ袋の集積場所に、折りたたみ式生ゴミ集積用囲いを展張・設置しておき、その中に生ゴミ袋を集積する。その後、回収車による生ゴミ袋の回収が済み次第、その囲いを簡単に折りたたんで持ち運び、撤去ができる構造とする。
【考案の効果】
【０００５】  よって、本考案の折りたたみ式生ゴミ集積用囲いを設置して、その中に生ゴミ袋を集積することによって、生ゴミ袋の散乱と鳥獣（カラスや猫等）によって食い荒らされる被害を防止することができる。又、使用後は簡単に撤去することができるため、交通の妨げや街の景観を損なうことが無い。
【考案を実施するための最良の形態】
【０００６】  本考案に係わる折りたたみ式生ゴミ袋集積用囲いは、図１に示すように、枠１にネット２を張ったパネルを、連結具によって互いに連結され囲いが形成されている。連結具は２種類あって、ひとつは片枠固定・片枠ルーズ型の３、もうひとつは両枠ルーズ型の４である。この連結具を使い分けることによって、各々のパネルを分割することなく展張・設置し、又折りたたんで簡単に持ち運び撤去ができる構造である。
又、囲いを広げた場合、全体が菱形に変形することを防止するため、ストッパー５を取り付けている。
【図面の簡単な説明】
【０００７】
【図１】本考案に係わる折りたたみ式生ゴミ袋集積囲いを、広げた状態の全体図である。
【図２】本考案に係わる折りたたみ式生ゴミ袋集積囲いを、折りたたむ過程の略図である。
【図３】本考案に係わる折りたたみ式生ゴミ袋集積囲いに使用する部品、連結具の図である。片枠固定・片枠ルーズ型の固定側はテーパーピンＰによって、枠に固定される。又、両枠ルーズ型はこのテーパーピンを設けない。
【図４】本考案に係わる折りたたみ式生ゴミ袋集積囲いに使用する部品、ストッパーの図である。片枠ルーズ側の枠が矢印Ａ方向に回ろうとする場合（折りたたむ場合）は回転するが、Ｂ方向に回そうとする場合（広げた場合）は本図以上回転しない構造である。ストッパーはテーパーピンＰによって、枠に固定される。
【符号の説明】
【０００８】１        枠
２        ネット
３        連結具（片枠固定・片枠ルーズ型）
４        連結具（両枠ルーズ型）
５        ストッパー
Ｐ        テーパーピン
【図１】
0003120709.tif 000003
【図２】
0003120709.tif 000004
【図３】
0003120709.tif 000005
【図４】
0003120709.tif 000006
(57)【要約】【課題】現行の自動車用サンバイザーは、太陽光の周辺部をも遮蔽してしまうため、使用時には、信号等前方の道路事情が見ずらくなり、運転上の危険が増す。また、太陽の位置の低い朝日や夕日の場合、現行のサンバイザーでは太陽光を遮蔽できないこともあり、運転上の危険はさらに増大する。【解決手段】太陽の位置にあわせ角度と長さを自由に変えられる柄のついたサンバイザーにより、太陽光のまぶしい部分のみを遮蔽する。【選択図】図１
0003120710.tif 000002
【実用新案登録請求の範囲】
【請求項１】
角度と長さを自由に変えられる柄１のついた自動車用サンバイザー
【考案の詳細な説明】
【考案の開示】
【考案が解決しようとする課題】
【０００１】従来の自動車用のサンバイザーは、太陽光がまぶしい時に、フロントガラスの前に下げて光を遮蔽していた。この場合、太陽光だけではなく、その周辺も隠れてしまうため、信号や前方の道路状況が見えなくなることもあり、運転上の危険が増大していた。また、朝日や夕日の太陽の位置が低い状況では、現行のサンバイザーでは、太陽光を遮蔽できないこともあり、運転上の危険はさらに増大する。
【課題を解決するための手段】
【０００２】上記の課題を解決するためには、太陽光のまぶし部分みを遮蔽するために、太陽の位置にあわせて、角度と長さを自由に変えられる柄のついたサンバイザーをつける。
【考案の効果】
【０００３】太陽の位置にかかわらず太陽光のまぶしい部分みを遮蔽することが可能となり、まぶしさを軽減するとともに、太陽の位置以外の状況も見えるため、運転上の危険は減少する。
【図面の簡単な説明】
【０００４】
【図１】サンバイザーを取り付けたフロントガラス部の正面図である
【図２】サンバイザーの柄が最長の斜視図である
【図３】サンバイザーの柄が最短の斜視図である
【図４】サンバイザーの柄の取り付け部の平面図である
【図５】サンバイザーの柄の取り付け部の側面図である
【符号の説明】
【０００５】１  サンバイザーの柄
２  サンバイザーの太陽光の遮蔽部
３  サンバイザーの取り付け部
４  フロントガラス部
【図１】
0003120710.tif 000003
【図２】
0003120710.tif 000004
【図３】
0003120710.tif 000005
【図４】
0003120710.tif 000006
【図５】
0003120710.tif 000007
(57)【要約】      （修正有）【課題】プランター植の植物３を、雨、雪、霜などの自然災害から保護し、植物の開花や生育を助ける為の器具の提供。【解決手段】透明無色な板状のカバー（１）を植物の上部に、固定用器具（２）で取り付ける。【選択図】図１
0003120704.tif 000002
【実用新案登録請求の範囲】
【請求項１】
プランター植の植物を雨、雪、霜から保護する為に、植物の上部に、傘状に設置するカバー。
【考案の詳細な説明】
【技術分野】
【０００１】プランター植の植物を雨、霜、雪から保護する装置。
【技術背景】
【０００２】従来プランター植の植物を簡単に保護する装置は見あたらない。
全体をビニール等で覆う方法しか無い。
【考案の開示】
【考案が解決しようとする課題】
【０００３】全体をビニールなどで覆った場合は、花等の場合は、外から見えにくく装飾の価値がない。また、内部で、過湿に成ったり、高温に成ってかえって弊害が多い。又、手入れがし難い。
【課題を解決するための手段】
【０００４】そこで、美しい草花や、野菜などを保護するために、それらの上部に、雨、霜、雪除けに透明な板状のカバーを固定用器具で取り付ける。
【考案の効果】
【０００５】これにより、梅雨時の過湿による病害や、雪や霜の凍害を軽減し、しかも通気も良く、自然の状態で育てる事が出来る。
又、雨除けカバーの形は、楕円形、円形、長方形、雲形や立体状のデザインにする事で美的にも有意義である。
【考案を実施するための最良の形態】
【０００６】本考案は、図１に示すように、雨除けカバー１を、固定用器具２、でプランターに固定するだけで目的が達せられる。
【図面の簡単な説明】
【０００７】
【図１】本考案の雨除けカバー１を固定用器具２でプランターに装着した図である。
【図２】本考案を装着したプランターの正面と横面図である。
【符号の説明】
【０００８】１    雨除けカバー
２    固定用器具
３    プランター
【図１】
0003120704.tif 000003
【図２】
0003120704.tif 000004
(57)【要約】【課題】瓦棒屋根の作業を安全に手早くでき、さらに滑り落ちを防ぐ事故防止の機能を持った瓦棒屋根用の締め金具を提供する。【解決手段】瓦棒屋根の屋根部材を締め付ける断面コ字型のハゼ板を側板１ａと上板１ｂとからなる断面Ｌ字型の片折れハゼ板１と、前記上板１ｂの一側に蝶番３で連結された回動自在な側板２とで構成し、瓦棒屋根締め込み工事の際に、この側板２を開閉して屋根部材１１を組み込むようにした。また前記片折れハゼ板１の上板１ｂに設けたふたつの穴１５に丸カンボルト４をそれぞれ差し込み、その先を瓦棒屋根の屋根材１１の押え板７に開けた穴８に各差し込んで上板１ｂの裏面及び押え板７にナット９で締めこむようにした。また前記片折れハゼ板１の上板１ｂに設けた穴６にロープ通し金具５を差し込んで回動自在にナット９で固定するようにした。【選択図】図１
0003120733.tif 000002
【実用新案登録請求の範囲】
【請求項１】
瓦棒屋根の屋根部材を締め付ける断面コ字型のハゼ板を側板（１ａ）と上板（１ｂ）とからなる断面Ｌ字型の片折れハゼ板（１）と、前記上板（１ｂ）の一側に蝶番（３）で連結された回動自在な側板（２）とで構成し、瓦棒屋根締め込み工事の際にこの側板（２）を開閉して屋根部材（１１）を組み込みようにした瓦棒屋根の締め金具。
【請求項２】
前記片折れハゼ板（１）の上板（１ｂ）に設けたふたつの穴（１５）に丸カンボルト（４）をそれぞれ差し込み、その先を瓦棒屋根の屋根材（１１）の押え板（７）に開けた穴（８）に各差し込んで上板（１ｂ）の裏面及び押え板７にナット（９）で締めこむようにした請求項１記載の瓦棒屋根の締め金具。
【請求項３】
前記片折れハゼ板（１）の上板（１ｂ）に設けた穴（６）にロープ通し金具（５）を差し込んで回動自在にナット（９）で固定した請求項１記載の瓦棒屋根の締め金具。
【考案の詳細な説明】
【技術分野】
【０００１】
本考案は、瓦棒屋根の作業を安全に手早くできる瓦棒屋根締め金具に関するものである。
【背景技術】
【０００２】
屋根上での作業や、積雪の多い地域での除雪などの作業は、滑り落ちる危険を感じながら作業に従事しているのが現状である。そして瓦棒屋根での工事には色々な金具が提案されている。例えば特許文献１のような積雪に対応する雪押え器具、また特許文献２のような瓦棒屋根の山部を固定する機能を強化した取付け金具などがある。然しながら作業性を向上させ、さらに滑り落ちを防ぐ事故防止の機能を持った取付け金具はなかった。
【０００３】
【特許文献１】特開２００５−２６４６２６号公報
【特許文献２】特開平１１―６２１２８号公報
【考案の開示】
【考案が解決しようとする課題】
【０００４】
本考案は、瓦棒屋根の作業を安全に手早くでき、さらに滑り落ちを防ぐ事故防止の機能を持った瓦棒屋根用の締め金具を提供する。
【課題を解決するための手段】
【０００５】
本考案の瓦棒屋根の締め金具は、瓦棒屋根の屋根部材を締め付ける断面コ字型のハゼ板を側板１ａと上板１ｂとからなる断面Ｌ字型の片折れハゼ板１と、前記上板１ｂの一側に蝶番３で連結された回動自在な側板２とで構成し、瓦棒屋根締め込み工事の際に、この側板２を開閉して屋根部材１１を組み込むようにしたものである。
【０００６】
また前記片折れハゼ板１の上板１ｂに設けたふたつの穴１５に丸カンボルト４をそれぞれ差し込み、その先を瓦棒屋根の屋根材１１の押え板７に開けた穴８に各差し込んで上板１ｂの裏面及び押え板７にナット９で締めこむようにした。また前記片折れハゼ板１の上板１ｂに設けた穴６にロープ通し金具５を差し込んで回動自在にナット９で固定するようにした。
【考案の効果】
【０００７】
ハゼ板を蝶番により開閉式にしたので、瓦棒屋根上での作業が用意でスピーディに実施できるうえ、命綱のロープを通すロープ通し金具５を設けたので傾斜面での作業で滑り落ちる危険から身体を守り、精神的な緊張を和らげることが出来るなどの効果を有する。
【考案を実施するための最良の形態】
【０００８】
本考案の瓦棒屋根締め金具は、ハゼ板を蝶番により開閉式にし、さらに命綱のロープを通すロープ通し金具を設けたことを特徴としている。
【実施例１】
【０００９】
以下、本発明の好適なひとつの実施例を図面に基づき説明する。図１に示すように本考案の瓦棒屋根の締め金具は、瓦棒屋根の屋根部材を締め付ける断面コ字型のハゼ板を側板１ａと上板１ｂとからなるＬ字型の片折れハゼ板１と、上板１ｂの一側に蝶番３で連結された回動自在な側板２とから構成する。また図２に示すように片折れハゼ板１の上板１ｂには２本の丸カンボルト４をそれぞれ通すふたつの穴１５と、これら穴１５の中間に後述の安全ロープの通し金具５を通す穴６を開ける。
【００１０】
そして図３に示すようなネジ部を長く切った２本の丸カンボルト４を前記上板１ｂのふたつの穴１５から挿通し、その先を瓦棒屋根の屋根材１１の押え板７に開けた２ヶ所の穴８に差し込み、上板１ｂの裏面及び先端をナット９で締め、押え板７の上部には差金１０を入れ込む。また安全ロープの通し金具５を上板１ｂの穴６に差し込みナット９で回動自在に固定する。
【００１１】
瓦棒屋根の固定工事の際は、片折れハゼ板１の蝶番３で連結された回動自在な側板２を開いて瓦棒屋根の屋根材１１をハゼ板１に嵌め、屋根材１１を押え板８で押え、次いで丸カンボルト４を締め付けることにより強固に固定することが出来る。
【００１２】
また作業中は落下事故防止のためにロープ通し金具５に命綱のロープを通すか、またはロープの先端にクリップを着け腰に巻いたロープをワンタッチで脱着するようにしてもよい。この安全金具利用によって屋根上から、滑り落ちる恐怖から解放され作業の能率が上がる効果がある。また本考案の締め金具を使用した屋根では、テレビアンテナや太陽熱温水器の設置、および、寒冷地での積雪の除雪などの作業が容易で安全に出来る利点がある。
【図面の簡単な説明】
【００１３】
【図１】本考案の瓦棒屋根締め金具の正面図である。
【図２】ハゼ板の平面図である。
【図３】丸カンボルトとロープ通し金具の正面図である。
【図４】押え板の平面図である。
【図５】図１の右側面図である。
【図６】瓦棒屋根への組付け状態図である。
【符号の説明】
【００１４】
１  片折りハゼ板
１ａ  側板
１ｂ  上板
２  回動自在な側板
３  蝶番
４  丸カンボルト
５  安全ロープの通し金具５
６  通し金具５の通し穴
７  押え板
８  丸カンボルトの通し穴
９  ナット
１０  差金
１１  屋根材
１５  丸カンボルトの通し穴
【図１】
0003120733.tif 000003
【図２】
0003120733.tif 000004
【図３】
0003120733.tif 000005
【図４】
0003120733.tif 000006
【図５】
0003120733.tif 000007
【図６】
0003120733.tif 000008